(57)【要約】      （修正有）【課題】箱体の、差し込み辺の形状に工夫を凝らして差し込み易くする課題を解決する包装箱を提供する。【解決手段】箱体１１は、箱体開口部１２と、箱体開口部１２を被覆し、基部は箱体１１と一体に取り付けられる蓋部２１と、蓋部２１の自由端に設けられ、差し込み辺２３は差し込まれる箱体開口部１２の開口辺１３に対して全体として傾斜している差込部２２と、を備える。箱体開口部１２において差込部２２の差し込み辺２３が差し込まれる開口辺１３に設けられた、開口辺１３付近では幅広だが、奥に行くにしたがい幅狭となり、最奥は開口辺１３と平行状となる切り込み部１４、を有する。【選択図】図２
0003186290.tif 000002
【実用新案登録請求の範囲】
【請求項１】
箱体開口部と、
箱体開口部を被覆し、基部は箱体と一体に取り付けられる蓋部と、
蓋部の自由端に設けられ、差し込み辺は差し込まれる箱体開口部の開口辺に対して全体として傾斜している差込部と、
を備える包装箱。
【請求項２】
箱体開口部において差込部の差し込み辺が差し込まれる開口辺に設けられた切り込み部は、開口辺付近より奥側が幅狭からなる切り込み部と、
を備える請求項１記載の包装箱。
【請求項３】
箱体開口部において差込部の差し込み辺が差し込まれる開口辺に設けられた、開口辺付近では幅広だが、奥に行くにしたがい幅狭となり、最奥は開口辺と平行状となる切り込み部と、
を備える請求項１又は２記載の包装箱。
【考案の詳細な説明】
【技術分野】
【０００１】
本考案は、包装箱に係る。詳細には、開閉容易な包装箱に係る。
【背景技術】
【０００２】
従来包装箱に関しては、「前後一対の正面板１１ａ，１１ｂと左右一対の側面板１１ｃ，１１ｄとによる筒状本体１１の下端部の開口部１４は、物品２０を収容した後に、一方の正面板１１ａの下端縁部に連設する底面部蓋フラップ片１２ｂの底面部差し込みフラップ片１３ｂを、他方の正面板１１ｂの下端部内側面に沿って差し込むことで閉塞される。他方の正面板１１ｂの下端部内側に配置されて、底面部差し込みフラップ片１３ｂを他方の正面板１１ｂの下端部内側面に沿って差し込む際に、物品２０のシュリンクフィルム２１が装着された部分の外周面と、他方の正面板１１ｂの下端部内側面との間に差込み間隔が形成されるようにする、スペーサ片１５が設けられている。」、更に、「底面部差し込みフラップ片１３ｂを他方の正面板１１ｂの下端部内側面に沿って差し込む際に、物品２０のシュリンクフィルム２１が装着された部分の外周面と、他方の正面板１１ｂの下端部内側面との間に差込み間隔が形成されるようにする、スペーサ片１５が設けられている。」、「包装箱」が知られている（特許文献１  特開２０１３−１３３１４５公報「包装箱」）。
【０００３】
更に、「看板部２１に釣下穴２１Ｈが設けられる」旨の「持ち手付き包装箱」の図示が知られている（特許文献２  特開２０１２―２２９０５０公報「持ち手付き包装箱」）。
【０００４】
更に、「差込穴８に臨んで指入穴８ａが設けられ、蓋板７の先端中央部には、差込片９を切り込んで指掛突起９ａが設けられている。」、「差込片９を差込穴８に差し込んで封緘する」、「組立箱」が知られている（特許文献３  特開２０１１−２４０９４９「組立箱」）
【０００５】
更に、「大きく開口するための一対の開口線を平行に設けた板紙製の紙箱に設ける、紙箱の切れ目線形状であって、つまみ片の両端より一対の開口線にそれぞれ連続する、紙箱の切れ目線形状であって、線状の切れ目の切断方向上流側の先端に、引張る方向下流側に斜めで短小な第１切れ目を繋ぎ、線状の切れ目の切断方向下流側の先端に、引張る方向上流側に斜めで短小な第２切れ目を繋いだ、多数の屈曲線状の切れ目線を、つなぎを介して１列に並べた」、紙箱の切れ目線形状」が知られている（特許文献４  特開２０１１−２２５２３０「紙箱の切れ目線形状」）。
【０００６】
更に、「正面板３の上部延長上には略中央部に差し込み溝１８を穿設した折線Ｌ７を介して耳片８が延設され、左右両側面板２及び４の上部延長上には折線Ｌ８及びＬ９を介してそれぞれ耳片９及び１０が延設されている。」、「展示兼用紙箱」が知られている（特許文献５  特開２００９−９１０４４「展示兼用紙箱」）。
【０００７】
更に、「板状内容物（図示せず）より小さ目の開口部（２９）を形成する」との記載、開口部２９の図示に係る「紙箱」が知られている（特許文献６  特開２００８−２９６９７０「紙箱」）。
【０００８】
更に、差込み片３を有する「組立式折り箱」ついての記載が知られている（特許文献７  特開２００５−５９８５８「組立式折り箱」）。
【０００９】
更に、「蓋部１２には、折曲げ線１０ａから蓋部１２内側（背面側）に向かって抉り取られた半円状の指掛け凹部１２１が設けられ」「蓋部１２には、折曲げ線１０ａから蓋部１２内側（背面側）に向かって抉り取られた半円状の指掛け凹部１２１が設けられ」、蓋に凹部が設けられる「梱包箱」が知られている（特許文献８  特開２００３−２６７３５４「梱包箱」）。
【先行技術文献】
【特許文献】
【００１０】
【特許文献１】特開２０１３−１３３１４５公報
【特許文献２】特開２０１２―２２９０５０公報
【特許文献３】特開２０１１−２４０９４９公報
【特許文献４】特開２０１１−２２５２３０公報
【特許文献５】特開２００９−９１０４４公報
【特許文献６】特開２００８−２９６９７０公報
【特許文献７】特開２００５−５９８５８公報
【特許文献８】特開２００３−２６７３５４公報
【考案の概要】
【考案が解決しようとする課題】
【００１１】
特許文献１（特開２０１３−１３３１４５公報）記載の「包装箱」は、「底面部差し込みフラップ片１３ｂ」の差し込み片の形状に工夫を凝らして差し込み易くするものではない。
特許文献２（特開２０１０―５２２２９０公報）記載の「持ち手付き包装箱」は、「釣下穴２１Ｈ」は箱の差し込まれる側の端部に設けられるものではない。また、差し込み片を差し込み易くするためのものではない。
特許文献３（特開２０１１−２４０９４９公報）記載の「組立箱」は、「差込片９」の形状に工夫を凝らして差し込み易くするものではない。
特許文献４（特開２０１１−２２５２３０公報）記載の「紙箱の切れ目線形状」は、「つまみ片３」の形状に工夫を凝らして差し込み易くするものではない。
特許文献５（特開２００９−９１０４４公報）「展示兼用紙箱」、特許文献６（特開２００８−２９６９７０公報）「紙箱」、特許文献７（特開２００５−５９８５８）「組立式折り箱」、特許文献８（特開２００３−２６７３５４）「梱包箱」は、差し込み片の形状に工夫を凝らして差し込み易くするものではない、
各課題を有した。
【００１２】
本考案の目的は、差し込み辺の形状に工夫を凝らして差し込み易くあるいは引き抜き易くする課題を解決する手段を提供することである。
【課題を解決するための手段】
【００１３】
本考案に係る包装箱は、
箱体開口部と、
箱体開口部を被覆し、基部は箱体と一体に取り付けられる蓋部と、
蓋部の自由端に設けられ、差し込み辺は差し込まれる箱体開口部の開口辺に対して全体として傾斜している差込部と、
を備える。
【００１４】
あるいは、
箱体開口部において差込部の差し込み辺が差し込まれる開口辺に設けられた切り込み部は、開口辺付近より奥側が幅狭からなる切り込み部と、
を備える。
【００１５】
あるいは、更に、
箱体開口部において差込部の差し込み辺が差し込まれる開口辺に設けられた、開口辺付近では幅広だが、奥に行くにしたがい幅狭となり、最奥は開口辺と平行状となる形状からなる切り込み部と、
を備える。
【考案の効果】
【００１６】
本考案によれば、蓋部の自由端に設けられ、差し込み辺は差し込まれる箱体開口部の開口辺に対して全体として傾斜している差込部を有するため、差し込み辺の箱体開口部の開口辺への差し込みは円滑に行える。
箱体開口部において差込部の差し込み辺が差し込まれる開口辺に設けられた切り込み部は、開口辺付近より奥側が幅狭からなる切り込み部、あるいはさらに、箱体開口部において差込部の差し込み辺が差し込まれる開口辺に設けられた切り込み部からなると、差し込み辺を指で案内しやすく、また、差し込み辺を取り出すとき指先が差込部に引っ掛かり易くなる。更に、最奥は開口辺と平行状となっているので、強度に優れる。
そのため、さらに差し込み辺の箱体開口部の開口辺への差し込み、引き抜きはより円滑に行える。
【図面の簡単な説明】
【００１７】
【図１】この考案の実施の形態に係る実施例の包装箱の斜視図である。
【図２】この考案の実施の形態に係る実施例の包装箱の使用状態の斜視図である。
【図３】この考案の実施の形態に係る実施例の包装箱の展開図である。
【考案を実施するための形態】
【００１８】
この考案の実施の一形態に係る実施例を、図面に従い説明する。
１１は、包装箱を構成する箱体である。
箱体１１は、この実施の形態では、紙製からなり、実施例図面に図示されるように、一枚の紙を折り畳んで箱状を形成する。箱体１１は、この実施の形態では紙製からなるが、折り畳める素材からなれば、プラスチック製その他の素材からなっても良い。
１２は、箱体開口部である。箱体開口部１２からは、被収納物この実施の形態では、飲料用容器を載置するのに使用するコースター等を収納させる。１３は、開口辺である。開口辺１３は箱体開口部１２の一辺からなる。
【００１９】
２１は、蓋部である。蓋部２１は、箱体開口部１２を被覆し、図３の展開図をみればわかるように、基部は箱体１１と一体に取り付けられる。
２２は、差込部である。差込部２２は、箱体開口部１２の開口辺１３の反対側から立ち上げされ、蓋部２１の自由端に設けられる。差込部２２の先端辺である差し込み辺２３は差し込まれる箱体開口部１２の開口辺１３に対して全体として傾斜している。
２４は、補助蓋部である。
【００２０】
１４は、切り込み部である。切り込み部１４は、箱体開口部１２において差込部２２の差し込み辺２３が差し込まれる開口辺１３に設けられる。この実施の形態では、切り込み部１４は、図を参照すればわかるように、開口辺１３側は広く奥に行くにしたがい徐々に狭まり、最奥は開口辺１３と平行な形状からなる。
【００２１】
本実施の形態によれば、差込部２２は、蓋部２１の自由端に設けられ、差し込み辺２３は差し込まれる箱体開口部１２の開口辺１３に対して全体として傾斜しているため、出っ張っている端部側から、箱体開口部１２の開口辺１３に差し込むことができるので、差し込み辺２３の箱体開口部１２の開口辺１３への差し込みは円滑に行える。
さらに、箱体開口部１２において差込部２２の差し込み辺２３が差し込まれる開口辺１３に設けられた切り込み部１４からなる。すなわち、切り込み部１４の切り込み形状は、開口辺１３付近では幅広だが、奥に行くにしたがい幅狭くなる。更に、最奥は開口辺１３と平行状となっている。
そのため、差し込み辺２３を指で案内しやすく、また、差し込み辺２３を取り出すとき指先が差込部２２に引っ掛かり易くなる。更に、最奥は開口辺１３と平行状となっているので、強度に優れる。
そのため、さらに差し込み辺２３の箱体開口部１２の開口辺１３への差し込み、引き抜きはより円滑に行える。
【００２２】
本実施の形態では、いわば富士山形状からなる、すなわち、開口辺１３付近では幅広だが、奥に行くにしたがい幅狭くなる切り込み部１４について説明したが、切り込み部１４の形状はこれに限定されるものではない。差し込み辺２３を取り出すときに指先が差込部２２に引っ掛かりやすくなる形状であればよく、図示しないが、例えば半円形状、多角形状等が例示できる。
【符号の説明】
【００２３】
１１  箱体
１２  箱体開口部
１３  開口辺
１４  切り込み部
２１  蓋部
２２  差込部
２３  差し込み辺
【図１】
0003186290.tif 000003
【図２】
0003186290.tif 000004
【図３】
0003186290.tif 000005